【手続補正書】
【提出日】平成29年9月6日(2017.9.6)
【手続補正１】
【補正対象書類名】明細書
【補正対象項目名】０００１
【補正方法】変更
【補正の内容】
【０００１】
本発明は、例えば画像形成装置から送られたシートに所定の処理を行うシート処理装置及び画像形成システムに関する。
【手続補正２】
【補正対象書類名】明細書
【補正対象項目名】０００２
【補正方法】変更
【補正の内容】
【０００２】
従来、複写機、プリンター、ファクシミリ及びこれらの複合機器等の画像形成装置に、シート処理装置を接続した画像形成システムが提供されている。該シート処理装置は、画像形成装置から排出されるシートにソート処理、整合処理、オフセット処理、綴じ処理、折り処理、及び穿孔処理等の様々な後処理を行い、画像形成装置からシートを処理トレイに載置し、必要な後処理を行った後、積載トレイに搬出する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、処理部により所定の処理を行うシート処理装置において、シート搬送路を搬送される後続のシートがシート載置部を通過する場合に、通過するシートの搬送が、シート載置部に位置する処理部によって妨げられることを抑えるシート処理装置を提供することにある。
【手続補正５】
【補正対象書類名】明細書
【補正対象項目名】０００８
【補正方法】変更
【補正の内容】
【０００８】
本発明のシート処理装置は、搬送部によって搬送方向に搬送されたシートを載置する載置部と、前記載置部に載置されたシートに対して所定の処理を実行するとともに、所定の移動範囲を移動可能な処理部と、前記搬送部によって搬送されているシートが前記移動範囲に位置している際、前記処理部を、該シートと干渉しない位置に位置させ、該シートが前記移動範囲を抜けた後、前記処理部を、該シートの前に前記搬送部により搬送され、前記載置部に載置されたシートに対して前記所定の処理を実行させる位置に位置させる制御部と、を有する、ことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明のシート処理装置は、シート搬送路を搬送される後続のシートがシート載置部を通過する場合に、通過するシートの搬送が、シート載置部に位置する処理部によって妨げられることを抑える。
【手続補正８】
【補正対象書類名】明細書
【補正対象項目名】００７１
【補正方法】変更
【補正の内容】
【００７１】
後続シートＳhbの搬出方向長さが小さく、その搬出方向下流端が、排紙口３５から最大に延出しても、可動範囲Ｒ1に至らないと判断される場合（ステップＳt２１）は、上側搬送ローラー７３及び昇降ブラケット７５を動作させても、後続シートＳhbと干渉する虞がない。従って、本体制御部８７は、後続シートＳhbの反転動作に拘わらず、ステップＳt２又はＳt５に進み、通常通りに搬出方向の整合処理を行い、昇降ブラケット７５を下降させ、上側搬送ローラー７３を回転させて、処理トレイ５１上のシートＳhを搬入方向に搬送する。
【手続補正９】
【補正対象書類名】明細書
【補正対象項目名】００７７
【補正方法】変更
【補正の内容】
【００７７】
後続シートＳhbの幅寸法が小さく、その搬出方向下流端が、排紙口３５から最大に延出しても、可動範囲Ｒ2に含まれないと判断される場合（ステップＳt３１）は、サイド整合部材７７を動作させても、後続シートＳhbと干渉する虞がない。従って、本体制御部８７は、後続シートＳhbの反転動作に拘わらず、通常通りにサイド整合部材７７を移動させて、幅方向の整合処理を行う。
【手続補正１０】
【補正対象書類名】特許請求の範囲
【補正対象項目名】全文
【補正方法】変更
【補正の内容】
【特許請求の範囲】
【請求項１】
搬送部によって搬送方向に搬送されたシートを載置する載置部と、
前記載置部に載置されたシートに対して所定の処理を実行するとともに、所定の移動範囲を移動可能な処理部と、
前記搬送部によって搬送されているシートが前記移動範囲に位置している際、前記処理部を、該シートと干渉しない位置に位置させ、該シートが前記移動範囲を抜けた後、前記処理部を、該シートの前に前記搬送部により搬送され、前記載置部に載置されたシートに対して前記所定の処理を実行させる位置に位置させる制御部と、を有する、ことを特徴とするシート処理装置。
【請求項２】
前記搬送方向に対して逆方向に前記搬送部によって搬送され、前記移動範囲を通過したシートが案内される案内部を有する
ことを特徴とする請求項１に記載のシート処理装置。
【請求項３】
前記案内部は、シートを一時的に滞留させることが可能であることを特徴とする請求項２に記載のシート処理装置。
【請求項４】
前記搬送部により前記搬送方向に搬送され前記載置部に載置されるシートが案内される搬送路を有し、
前記案内部は、前記搬送路から分岐している、ことを特徴とする請求項２又は３に記載のシート処理装置。
【請求項５】
前記制御部は、前記案内部におけるシートの搬送速度を、前記搬送路におけるシートの搬送速度よりも低速にする請求項２乃至４のいずれか１項に記載のシート処理装置。
【請求項６】
前記処理部は、前記載置部に載置されたシートの、前記搬送方向と交差する方向における位置決めをする、ことを特徴とする請求項１乃至５のいずれか１項に記載のシート処理装置。
【請求項７】
前記処理部は、前記載置部に載置されるシートを、前記搬送方向の逆方向に搬送する、ことを特徴とする請求項１乃至５のいずれか１項に記載のシート処理装置。
【請求項８】
前記制御部は、
前記搬送部によって搬送されているシートが前記移動範囲に位置している際、前記処理部を、該シートと干渉しない位置に位置させ、該シートが前記移動範囲を抜けた後、前記処理部を、前記所定の処理を実行させる前記位置に位置させる第１モードと、
シートが前記載置部に載置されてから、前記処理部により該シートに対して前記所定の処理を実行させるまでの時間が前記第１モードよりも短い第２モードと、
を実行可能である、ことを特徴とする請求項１乃至７のいずれか１項に記載のシート処理装置。
【請求項９】
前記制御部は、
前記搬送部によって搬送されているシートが前記移動範囲に位置している際、前記処理部を、該シートと干渉しない位置に位置させ、該シートが前記移動範囲を抜けた後、前記処理部を、前記所定の処理を実行させる前記位置に位置させる第１モードと、
前記載置部に載置されたシートに対して前記処理部により前記所定の処理をする際に、前記処理部が移動する移動速度を前記第１モードより速くする第２モードと、
を実行可能である、ことを特徴とする請求項１乃至７のいずれか１項に記載のシート処理装置。
【請求項１０】
前記制御部は、前記搬送部により搬送されるシートの搬送方向の長さに応じて、該シートの前に前記搬送部により搬送されたシートが前記載置部に載置されてから、前記処理部により該シートに対して前記所定の処理を実行させるまでの時間を変更する、ことを特徴とする請求項１乃至７のいずれか１項に記載のシート処理装置。
【請求項１１】
前記制御部は、前記搬送部により搬送されるシートの前記搬送方向の長さに応じて、該シートの前に前記搬送部により搬送されたシートに対して前記処理部により前記所定の処理を実行させるための、前記処理部の移動速度を変更する、ことを特徴とする請求項１乃至７のいずれか１項に記載のシート処理装置。
【請求項１２】
シートに画像形成する画像形成ユニットと、
前記画像形成ユニットから送られたシートに所定の処理を行うシート処理装置と、を備え、
前記シート処理装置は請求項１乃至１１のいずれか１項に記載のシート処理装置であることを特徴とする画像形成システム。